(57)【要約】【課題】封入物の窓に位置する記録面を拡大できるようにすると共に、封入物の記録面を拡大できるようにする。【解決手段】電気料金振込用紙５の受取人の郵便番号、住所、氏名、電話番号などの記載事項を外部から視認可能な窓付きの封筒の構造であって、封筒本体８の表面２０に開口された窓部１に取付けられた拡大結像用のルーペ２を備え、窓部１の周囲の封筒本体８にはミシン目３が入っており、ルーペ２が取り外し可能となっている。【選択図】        図１
2007131326.tif 000002
【特許請求の範囲】
【請求項１】
封入物を外部から視認可能な窓付きの封筒の構造であって、
所定形状の封筒本体と、
前記封筒本体の所定の位置に開口された窓部と、
前記窓部に取付けられた拡大結像用の光学部材とを備えることを特徴とする封筒構造。
【請求項２】
前記窓部の周囲の前記封筒本体には切取線が入っており、前記光学部材が取り外し可能となっていることを特徴とする請求項１に記載の封筒構造。
【請求項３】
前記封筒本体の前記窓部から取り外された前記光学部材を使用して前記封入物の記載事項を拡大するようになされることを特徴とする請求項１に記載の封筒構造。
【発明の詳細な説明】
【技術分野】
【０００１】
この発明は、封入物を外部から視認可能な窓開きの封筒に適用して好適な封筒構造に関するものである。
【０００２】
詳しくは、封筒本体の所定の位置に開口された窓部に取付けられた拡大結像用の光学部材を備え、封入物の窓部に位置している記録面を拡大できるようにすると共に、窓部に取付けられた光学部材を取り外して封入物の記録面を拡大できるようにしたものである。
【背景技術】
【０００３】
従来、封筒に封入される封入物を外部から視認可能な窓開き部が形成されている封筒が使用されてきた。図７（ａ）及び（ｂ）は、従来例の窓開き封筒４００である。図７（ａ）に示す窓開き封筒４００は表面側であり、図７（ｂ）に示す窓開き封筒４００は裏面側である。窓開き封筒４００は、セロハン１０及び封筒本体１１を備える。封筒本体１１は窓部１を表面側に備える。図７（ａ）に示した窓開き封筒４００には、表面側に備えられた窓部１にセロハン１０が取付けられている。この構成によって、セロハン１０が取付けられた窓部１から窓開き封筒４００に封入された封入物の一部を視認することができる。
【０００４】
このような窓開き封筒４００に関連して、特許文献１には窓あき封筒が開示されている。この窓あき封筒によれば、封筒１の外部にイラスト５が印刷されていることにより、外部から封入物の内容を即時に認識できるので、封筒１の開封率を向上できるようにしたというものである。
【０００５】
【特許文献１】特開平０８−２８２６７８号公報（第２頁、第１図）
【発明の開示】
【発明が解決しようとする課題】
【０００６】
ところで、従来例に係る窓開き封筒４００によれば特許文献１に見られるように、封入物の文字のサイズが小さい場合、例えば、老眼鏡を一々かけなければ文字を読むことができない。老眼鏡をかけるのが面倒な場合は、老眼鏡をかけないで封入物の文字を読んでしまうので、封入物の記載事項の見過ごしや読み間違いが発生し、電話での問い合わせが後を絶たない。例えば、電気料金の支払い期限日が電気料金の請求書に記載してあるが、この記載を見落とした顧客からの支払い期限日に関する問い合わせが後を絶たない。
【０００７】
そこで、本発明はこのような従来例に係る課題を解決したものであって、窓付きの封筒を工夫して、封入物の窓に位置する記録面を拡大できるようにすると共に、封入物の記録面を拡大できるようにした封筒構造を提供することを目的とする。
【課題を解決するための手段】
【０００８】
上述した課題を解決するために、請求項１に記載の封筒構造は、封入物を外部から視認可能な窓付きの封筒の構造であって、所定形状の封筒本体と、前記封筒本体の所定の位置に開口された窓部と、前記窓部に取付けられた拡大結像用の光学部材とを備えることを特徴とするものである。
【０００９】
本発明に係る封筒構造によれば、封入物を外部から視認可能な窓付きの封筒であって、封筒本体の所定の位置に開口された窓部に取付けられた拡大結像用の光学部材を備える。例えば、窓部の周囲の封筒本体には切取線が入っており、光学部材が取り外し可能となっている。
【００１０】
従って、封入物の窓部に位置している記録面を拡大することができると共に、窓部に取付けられた光学部材を取り外して封入物の記録面を拡大することができる。
【発明の効果】
【００１１】
本発明に係る封筒構造によれば、封入物を外部から視認可能な窓付きの封筒であって、封筒本体の所定の位置に開口された窓部に取付けられた拡大結像用の光学部材を備えるものである。
【００１２】
この構成によって、封入物の窓部に位置している記録面を拡大することができると共に、窓部に取付けられた光学部材を取り外して封入物の記録面を拡大することができる。従って、封入物の記載事項の見過ごしや読み間違いを少なくすることができる。これにより、封入物の記載事項に関する電話での問い合わせを少なくすることができる。
【発明を実施するための最良の形態】
【００１３】
続いて、本発明に係る実施形態としての封筒構造について、図面を参照しながら説明をする。
【実施例１】
【００１４】
図１（ａ）及び（ｂ）は、本発明に係る第１の実施例としての窓開き封筒１００の構成例を示す概念図である。図１（ａ）及び（ｂ）に示す窓開き封筒１００は封筒構造の一例であり、封入物を外部から視認可能な窓付きの封筒の構造であって、凸レンズ型のルーペ２及び封筒本体８を備える。図１（ａ）に示す窓開き封筒１００は、窓開き封筒１００の表面２０の構成例であり、図１（ｂ）に示す窓開き封筒１００は、窓開き封筒１００の裏面２１の構成例である。
【００１５】
封筒本体８は、表面２０に窓部１、ミシン目３、差出人記載部４及び使用方法記載部１３を備える。
【００１６】
窓部１は、封筒本体８の表面２０に開口されている。窓部１には、開口された窓部１の全体を覆うようにルーペ２が取付けられている。取付け方法は図２で説明する。窓開き封筒１００に封入されている封入物に記載されている受取人の郵便番号、住所、氏名などが、窓部１の範囲に収まるように指定されており、窓部１に取付けられたルーペ２により拡大されて外部から視認できる。
【００１７】
表面２０の差出人記載部４には、差出人の郵便番号、住所、氏名などが記載される。使用方法記載部１３には、ルーペ２の取り外し方法、取り扱い方法などが目立つように大きく太い字で記載される。例えば、「（付属ルーペの使用方法）封筒の窓にはルーペが取付けられています。ミシン目に沿って切り外し、封入物上に３ｃｍ〜１０ｃｍ程度距離を置いてかざし、小さい文字を拡大してご覧ください。」などと記載されている。
【００１８】
ルーペ２は光学部材の一例であり、窓部１に取付けられ拡大して結像する。ルーペ２はアクリル樹脂素材の射出金型成形品であり、ガラス素材に比べて軽量かつ衝撃に強い。窓部１の周囲の封筒本体８にはミシン目３が入っており、ルーペ２が取り外し可能となっている。封筒本体８の窓部１から取り外されたルーペ２を使用して封入物の記載事項を拡大するようになされる。拡大する方法は、封入物から高さ３ｃｍ〜１０ｃｍ程度距離を離してルーペ２を封入物にかざす。このように使用すると、封入物の記載されている文字を１．５倍〜３．０倍程度拡大して読むことができる。
【００１９】
図２（ａ）及び（ｂ）は、窓開き封筒１００の構成例を示す説明図である。図２（ｂ）に示す窓開き封筒１００は、図２（ａ）に示す窓開き封筒１００のＸ−Ｘ切断面である。封筒本体８には、封筒本体８の窓部１近傍の内側２２に、ルーペ取付部材９が取付けられており、このルーペ取付部材９によりルーペ２が封筒本体８に固定される。
【００２０】
例えば、封筒本体８の窓部１の枠とルーペ取付部材９の一方は、接着剤により接着固定されている。ルーペ２の接着固定部１２は、ルーペ取付部材９の接着固定されていない他方と封筒本体８の窓部１の枠とで挟まれ、接着剤により接着固定される。また、図示していないが、ルーペ２の両面にナイロン素材の取り外し可能な防傷用シートを貼り付け、ルーペ２の拡大面が傷つくのを防ぐようにしてもよい。
【００２１】
図３（ａ）及び（ｂ）は、窓開き封筒１００の機能例を示す説明図である。図３（ａ）に示す窓開き封筒１００は、送付された窓開き封筒１００を受け取った受取人により、ルーペ２が封筒本体８からミシン目３に沿って、矢印方向へ取り外されている状態である。
【００２２】
図３（ｂ）に示す窓開き封筒１００’は、受取人によってルーペ２が封筒本体８からミシン目３に沿って取り外され、ルーペ２と封筒本体８’とに分離されたものである。これにより、封入物の窓部１に位置している記録面を拡大できると共に、窓部１に取付けられたルーペ２を取り外して封入物の記録面を拡大できる。
【００２３】
図４は、ルーペ２の使用例を示す説明図である。図４に示すルーペ２は、受取人により封筒本体８からミシン目３に沿って取り外されたものである。取り外されたルーペ２は、受取人により、例えば、封入物である電気料金振込用紙５から３ｃｍ〜１０ｃｍ程度距離を離してかざされ、ルーペ２を介して記載事項が読まれる。ルーペ２に表示されている電気料金振込用紙５の今月の支払い期限などの記載事項は、ルーペ２によって拡大表示されたものである。
【００２４】
このように、本発明に係る第１の実施例としての窓開き封筒１００によれば、電気料金振込用紙５の受取人住所などの記載事項を外部から視認可能な窓付きであって、封筒本体８の表面２０に開口された窓部１に取付けられた拡大結像用のルーペ２を備える。
【００２５】
これにより、電気料金振込用紙５の窓部１に位置している受取人住所などの記載事項を拡大できると共に、窓部１に取付けられたルーペ２を取り外して電気料金振込用紙５の支払い期限などの記載事項を拡大できる。従って、電気料金振込用紙５の記載事項の見過ごしや読み間違いを少なくすることができる。これにより、電気料金振込用紙５の記載事項に関する電話での問い合わせを少なくすることができる。
【実施例２】
【００２６】
図５（ａ）及び（ｂ）は、本発明に係る第２の実施例としての窓開き封筒２００の構成例を示す概念図である。図５（ａ）に示す窓開き封筒２００は、ルーペ２が封筒本体８''に一部繋がれるようにミシン目６が入っている。
【００２７】
図５（ｂ）に示す窓開き封筒２００は、図５（ａ）に示した窓開き封筒２００のミシン目６が切断され、矢印方向へ開かれたものである。これにより、図４に示した電気料金振込用紙５の窓部１に位置している受取人住所などの記載事項を拡大できると共に、窓部１に取付けられたルーペ２を一部切り離して電気料金振込用紙５の支払い期限などの記載事項を拡大できる。
【００２８】
第１の実施例としての窓開き封筒１００と比較して、窓開き封筒２００では、封筒本体８''からルーペ２を完全に取り外さなくても、封入物の記録面を拡大して読むことができるので、ルーペ２を取り外す手間を省くことができる。
【実施例３】
【００２９】
図６（ａ）及び（ｂ）は、本発明に係る第３の実施例としての窓開き封筒３００の構成例を示す概念図である。図６（ｂ）に示す窓開き封筒３００は、図６（ａ）に示す窓開き封筒３００のＹ−Ｙ切断面である。窓開き封筒３００は、フレネルレンズ型ルーペ７を備えている。フレネルレンズ型ルーペ７は、アクリル樹脂素材の射出金型成形品であり、ガラス素材に比べて軽量かつ衝撃に強い。また、フレネルレンズ型ルーペ７の形状は平板状であるので、レンズ厚を薄くすることができる。
【００３０】
これにより、第１の実施例の窓開き封筒１００のルーペ２と比較して、レンズ厚を薄くかつ軽量にすることができる。従って、コンパクト化されたレンズで、図４に示した電気料金振込用紙５の窓部１に位置している受取人住所などの記載事項を拡大できると共に、窓部１に取付けられたフレネルレンズ型ルーペ７を取り外して電気料金振込用紙５の支払い期限などの記載事項を拡大できる。封筒本体８には、封筒本体８の窓部１近傍の内側２２に、ルーペ取付部材９が取付けられており、このルーペ取付部材９によりフレネルレンズ型ルーペ７が封筒本体８に固定される。
【００３１】
例えば、封筒本体８の窓部１の枠とルーペ取付部材９の一方は、接着剤により接着固定される。フレネルレンズ型ルーペ７の接着固定部１２は、ルーペ取付部材９の接着固定されていない他方と封筒本体８の窓部１の枠とで挟まれ、接着剤により接着固定される。
【００３２】
なお、窓開き封筒１００、２００、３００は全顧客向けではなく、高齢者や希望者などの特定の顧客に対して提供するようにしてもよい。
【産業上の利用可能性】
【００３３】
本発明は、封入物を外部から視認可能な窓開きの封筒などに適用して好適である。
【図面の簡単な説明】
【００３４】
【図１】（ａ）及び（ｂ）は、本発明に係る第１の実施例としての窓開き封筒１００の構成例を示す概念図である。
【図２】（ａ）及び（ｂ）は、窓開き封筒１００の構成例を示す説明図である。
【図３】（ａ）及び（ｂ）は、窓開き封筒１００の機能例を示す説明図である。
【図４】ルーペ２の使用例を示す説明図である。
【図５】（ａ）及び（ｂ）は、本発明に係る第２の実施例としての窓開き封筒２００の構成例を示す概念図である。
【図６】（ａ）及び（ｂ）は、本発明に係る第３の実施例としての窓開き封筒３００の構成例を示す概念図である。
【図７】（ａ）及び（ｂ）は、従来例に係る窓開き封筒４００の構成例を示す概念図である。
【符号の説明】
【００３５】
１  窓（窓部）
２  凸レンズ型ルーペ（拡大用光学部材）
３  ミシン目
８  封筒本体（封筒本体）
１００  窓開き封筒
【図１】
2007131326.tif 000003
【図２】
2007131326.tif 000004
【図３】
2007131326.tif 000005
【図４】
2007131326.tif 000006
【図５】
2007131326.tif 000007
【図６】
2007131326.tif 000008
【図７】
2007131326.tif 000009